(57)【要約】【課題】入射光量に応じて光源を点灯及び消灯させる制御を、より安定して行うことができる点灯装置及び照明器具を提供する。【解決手段】制御部１１は、強制点灯モードにおいて、入射光量に応じた電気量（電圧Ｖｘ１）の大きさに関係なく点灯制御を行う。制御部１１は、通常モードにおいて、電圧Ｖｘ１が消灯閾値を上回ったとき消灯制御に切り替え、電圧Ｖｘ１が第一閾値を下回ったとき点灯制御に切り替える。制御部１１は、電圧Ｖｘ１から第一閾値を引いた値である差引電気量が所定値よりも小さい場合、消灯閾値を電圧Ｖｘ１よりも大きい値に設定し、差引電気量が所定値よりも大きい場合、動作モードを通常モードから強制点灯モードに切り替える。【選択図】図１
2018098166.tif 000002
【特許請求の範囲】
【請求項１】
光源に電力を供給する電源部と、
前記電源部に対する制御を、前記光源を点灯状態にさせるように前記電源部を制御する点灯制御及び、前記光源を消灯状態にさせるように前記電源部を制御する消灯制御に切り替えて行う制御部と、
入射光量が大きいほど大きい電気量を有する検出信号を前記制御部に出力する光電変換部と、を備え、
前記制御部は、
動作モードとして、前記電気量に応じて前記制御を切り替えて行う通常モードと、前記電気量の大きさに関係なく前記点灯制御を行う強制点灯モードとを有し、
前記動作モードが前記通常モードであって、前記電気量が消灯閾値を上回ったとき、前記制御を前記消灯制御に切り替え、
前記制御部は、さらに、
前記動作モードが前記通常モードであって、前記電気量が前記消灯閾値よりも小さい値である第一閾値を下回ったとき、前記制御を前記点灯制御に切り替え、前記光源が前記消灯状態から前記点灯状態となったときにおける前記電気量から前記第一閾値を引いた値である差引電気量が所定値よりも小さい場合、前記消灯閾値を、前記光源が前記消灯状態から前記点灯状態となったときにおける前記電気量よりも大きい値である第二閾値に設定し、前記差引電気量が前記所定値よりも大きい場合、前記動作モードを前記通常モードから前記強制点灯モードに切り替える
ことを特徴とする点灯装置。
【請求項２】
前記制御部は、前記動作モードを前記通常モードから前記強制点灯モードに切り替えてから所定時間が経過すると、前記動作モードを前記通常モードに切り替えることを特徴とする請求項１記載の点灯装置。
【請求項３】
前記制御部は、前記動作モードを前記通常モードから前記強制点灯モードに切り替えてから所定時間が経過すると、前記電気量の大きさに関係なく前記制御を前記消灯制御に切り替え、前記動作モードを前記通常モードに切り替えることを特徴とする請求項１記載の点灯装置。
【請求項４】
前記第二閾値は、前記第一閾値よりも大きい値であって前記消灯閾値として予め決められている第三閾値と、前記差引電気量との和であることを特徴とする請求項１〜３のいずれか一項に記載の点灯装置。
【請求項５】
前記所定値は、前記第一閾値よりも大きい値であって前記消灯閾値として予め決められている第三閾値から、前記第一閾値を引いた値であることを特徴とする請求項１〜４のいずれか一項に記載の点灯装置。
【請求項６】
前記制御部は、前記動作モードが前記通常モードであって、前記電気量が前記消灯閾値を上回る状態が規定の時間続いたとき、前記制御を前記消灯制御に切り替えることを特徴とする請求項１〜５のいずれか一項に記載の点灯装置。
【請求項７】
前記制御部は、前記動作モードの前記通常モードから前記強制点灯モードへの切替えを報知部に報知させることを特徴とする請求項１〜６のいずれか一項に記載の点灯装置。
【請求項８】
前記報知部は、前記光源であり、
前記制御部は、前記動作モードを前記通常モードから前記強制点灯モードへ切り替えるときに、前記光源を点滅させることにより、前記動作モードの前記通常モードから前記強制点灯モードへの切替えを前記光源に報知させる
ことを特徴とする請求項７記載の点灯装置。
【請求項９】
前記光源は、複数の単位光源を含み、
前記報知部は、前記複数の単位光源のうちの一部である少なくとも１つの単位光源であり、
前記制御部は、前記動作モードを前記通常モードから前記強制点灯モードへ切り替えるときに、前記少なくとも１つの単位光源を消灯させることにより、前記動作モードの前記通常モードから前記強制点灯モードへの切替えを前記少なくとも１つの単位光源に報知させる
ことを特徴とする請求項７記載の点灯装置。
【請求項１０】
前記報知部は、前記光源とは別個のパイロットランプであり、
前記制御部は、前記動作モードを前記通常モードから前記強制点灯モードへ切り替えるときに、前記パイロットランプの発光状態を切り替えることにより、前記動作モードの前記通常モードから前記強制点灯モードへの切替えを前記パイロットランプに報知させる
ことを特徴とする請求項７記載の点灯装置。
【請求項１１】
請求項１〜１０のいずれか一項に記載の点灯装置と、
前記光源と、
前記光源を支持する器具本体と、を備える
ことを特徴とする照明器具。
【発明の詳細な説明】
【技術分野】
【０００１】
本発明は点灯装置及び照明器具に関し、より詳細には、光源の点灯及び消灯を制御する点灯装置及びこの点灯装置を備える照明器具に関する。
【背景技術】
【０００２】
従来例として、特許文献１記載の照明装置を例示する。特許文献１記載の照明装置は、複数のＬＥＤ素子を有する発光モジュール（光源）と、発光モジュールに給電する電源部と、周囲の明るさを検出する照度センサとを有している。電源部は、照度センサの検出値と閾値との比較結果に応じて、発光モジュールの点灯及び消灯を制御する制御部を有している。制御部は、発光モジュールの点灯時と消灯時とで異なる閾値を、記憶部のテーブルにあらかじめ設定している。照度センサの検出値が消灯後の閾値を下回ると、制御部は発光モジュールを点灯させる。照度センサの検出値が点灯後の閾値を上回ると、制御部は発光モジュールを消灯させる。消灯後の閾値及び点灯後の閾値は、照明装置の種類毎に測定又は計算によって求められている。点灯後の閾値は、発光モジュールからの光が照度センサに入射して照度センサにおける検出値が高くなる検出値上昇分だけ、消灯後の閾値よりも高く設定されている。
【先行技術文献】
【特許文献】
【０００３】
【特許文献１】特開２０１３−２０１０１０号公報
【発明の概要】
【発明が解決しようとする課題】
【０００４】
しかしながら、発光モジュールからの光による検出値上昇分は、発光モジュールの光量のばらつき又は、発光モジュールの周囲に、発光モジュールから放射された光を照度センサに向かって反射する物がある等の周囲環境等によって変化する場合がある。
【０００５】
これにより、検出値上昇分が、標準的な値に基づく設計値よりも大きいときは、発光モジュール自身の光量に起因しない点灯装置の周りからの光量が十分でないにも関わらず、検出値が点灯後の閾値を上回り、制御部は発光モジュールを消灯させることがある。あるいは、検出値上昇分が、設計値よりも小さいときは、発光モジュール自身の光量に起因しない点灯装置の周りからの光量が十分であるにも関わらず、検出値が点灯後の閾値より小さい場合があり、その場合は、制御部は発光モジュールを消灯させない。
【０００６】
このように、特許文献１記載の照明装置では、制御部は、照度センサの検出値と閾値とを比較しても、発光モジュールを点灯及び消灯させる制御を安定して行うことが困難な場合があった。
【０００７】
本発明は、入射光量に応じて光源を点灯及び消灯させる制御を、より安定して行うことができる点灯装置及び照明器具を提供することを目的とする。
【課題を解決するための手段】
【０００８】
上記の課題を解決するために、本発明の一態様に係る点灯装置は、電源部と、制御部と、光電変換部と、を備える。前記電源部は、光源に電力を供給する。前記制御部は、前記電源部に対する制御を、点灯制御及び消灯制御に切り替えて行う。前記制御部は、前記点灯制御において、前記光源を点灯状態にさせるように前記電源部を制御する。前記制御部は、前記消灯制御において、前記光源を消灯状態にさせるように前記電源部を制御する。前記光電変換部は、入射光量が大きいほど大きい電気量を有する検出信号を前記制御部に出力する。前記制御部は、動作モードとして、通常モードと、強制点灯モードとを有する。前記制御部は、前記通常モードにおいて、前記電気量に応じて前記制御を切り替えて行う。前記制御部は、前記強制点灯モードにおいて、前記電気量の大きさに関係なく前記点灯制御を行う。前記制御部は、前記動作モードが前記通常モードであって、前記電気量が消灯閾値を上回ったとき、前記制御を前記消灯制御に切り替える。前記制御部は、さらに、前記動作モードが前記通常モードであって、前記電気量が第一閾値を下回ったとき、前記制御を前記点灯制御に切り替え、差引電気量が所定値よりも小さい場合、前記消灯閾値を第二閾値に設定し、前記差引電気量が前記所定値よりも大きい場合、前記動作モードを前記通常モードから前記強制点灯モードに切り替える。前記第一閾値は、前記消灯閾値よりも小さい値である。前記差引電気量は、前記光源が前記消灯状態から前記点灯状態となったときにおける前記電気量から前記第一閾値を引いた値である。前記第二閾値は、前記光源が前記消灯状態から前記点灯状態となったときにおける前記電気量よりも大きい値である。
【０００９】
本発明の一態様に係る照明器具は、前記点灯装置と、前記光源と、器具本体と、を備える。前記器具本体は、前記光源を支持する。
【発明の効果】
【００１０】
本発明の一態様に係る点灯装置及び照明器具は、入射光量に応じて光源を点灯及び消灯させる制御を、より安定して行うことができる。
【図面の簡単な説明】
【００１１】
【図１】図１は、本発明の実施形態１に係る点灯装置のブロック図である。
【図２】図２は、同上の点灯装置の動作を示すフローチャートである。
【図３】図３Ａは、同上の点灯装置において制御部の動作モードが通常モードであるときの動作例のタイムチャートである。図３Ｂは、同上の点灯装置において制御部の動作モードが通常モードから強制点灯モードに切り替わる場合の動作例のタイムチャートである。
【図４】図４は、本発明の実施形態１に係る照明器具の斜視図である。
【図５】図５は、本発明の実施形態２に係る点灯装置の動作を示すフローチャートである。
【図６】図６は、本発明の実施形態３に係る点灯装置のブロック図である。
【図７】図７は、同上の点灯装置の動作を示すフローチャートである。
【図８】図８は、本発明の実施形態４に係る点灯装置のブロック図である。
【図９】図９は、本発明の実施形態４に係る照明器具の斜視図である。
【図１０】図１０は、本発明の実施形態４に係る点灯装置の動作を示すフローチャートである。
【発明を実施するための形態】
【００１２】
（実施形態１）
以下、実施形態１に係る点灯装置及び照明器具について、図面を用いて説明する。
【００１３】
本実施形態の点灯装置１は、図１に示すように、電源部１０と、制御部１１と、光電変換部１２と、安定化回路１３と、を備えている。
【００１４】
電源部１０は、後述の照明器具８（図４参照）の光源２に電力を供給する。電源部１０は、一対の入力端子１０１、１０２と、一対の出力端子１０３、１０４とを含む。一対の入力端子１０１、１０２は、交流電源４に電気的に接続されている。電源部１０には、交流電源４から、一対の入力端子１０１、１０２を介して、交流電圧が入力されている。電源部１０は、例えば、図示しない力率改善回路と、降圧チョッパ回路と、電源制御回路とを有している。力率改善回路は、入力端子１０１、１０２から入力される交流電圧を、交流電圧のピーク値よりも高い電圧値を有する直流電圧に変換する。降圧チョッパ回路は、力率改善回路から出力される直流電圧の電圧値を、光源２の定格電圧以下の電圧値に降圧する。降圧チョッパ回路で降圧された直流電圧は、一対の出力端子１０３、１０４から光源２に出力される。光源２は、電源部１０から直流電圧が印加されることで点灯する。電源制御回路は、力率改善回路を構成する半導体スイッチング素子をスイッチング制御して力率改善回路の出力電圧を定電圧化している。また、電源制御回路は、降圧チョッパ回路を構成する半導体スイッチング素子をスイッチング制御して光源２に流す電流を定電流化している。ただし、電源部１０は、力率改善回路を有していなくてもよい。
【００１５】
光源２は、複数（図１では３個のみを図示）のＬＥＤ（Light Emitting Diode）素子２０の直列回路を有している。ただし、光源２を構成するＬＥＤ素子２０の個数は３個に限定されず、１〜２個又は４個以上であってもよい。また、光源２は、ＬＥＤ素子２０に代えて、有機エレクトロルミネッセンス素子又はレーザーダイオード、あるいは蛍光ランプなどの放電ランプを有していてもよい。
【００１６】
安定化回路１３は、交流電源４から抵抗１４を介して入力端子１３１に入力される交流電圧を、５［Ｖ］〜３．３［Ｖ］程度の直流の制御電圧Ｖccに変換し、出力端子１３２から出力している。安定化回路１３は、例えば、シリーズレギュレータ又はスイッチングレギュレータで構成されている。
【００１７】
光電変換部１２は、例えば、フォトダイオード１２１と、抵抗１２２とを有している。フォトダイオード１２１のカソードは、安定化回路１３の出力端子１３２に電気的に接続されている。抵抗１２２の一端はフォトダイオード１２１のアノードに電気的に接続されており、抵抗１２２の他端は接地されている。フォトダイオード１２１と抵抗１２２との間には、制御部１１の入力端子１１１が電気的に接続されている。フォトダイオード１２１は、入射光量が大きいほど大きい直流電流を抵抗１２２に流す。これにより、抵抗１２２の両端電圧である直流電圧（電圧Ｖｘ１）は、入射光量が大きいほど大きくなる。つまり、光電変換部１２は、入射光量が大きいほど大きい電圧Ｖｘ１（電気量）を有する検出信号を、制御部１１に出力するように構成されている。
【００１８】
制御部１１は、マイクロコンピュータ(マイコン)などにより構成されている。マイコンは、タイマ機能を有している。制御部１１は、入力端子１１１から入力された電圧Ｖｘ１をデジタル量に変換するための図示しないＡ／Ｄコンバータを有している。制御部１１は、電源端子１１２において、安定化回路１３の出力端子１３２から電力の供給を受けている。制御部１１の出力端子１１３は、電源部１０の制御端子１０５に電気的に接続されている。
【００１９】
制御部１１は記憶部１１５を備えている。記憶部１１５は、制御部１１を動作させるためのプログラム並びに、第一閾値（点灯閾値）ＶＴ１、第三閾値ＶＴ３、消灯閾値ＥＴ１、差引電圧ΔＶ１（差引電気量）、差分値Ｄ１（所定値）、規定の時間Δｔ１及び所定時間Δｔ２を記憶している。
【００２０】
第一閾値ＶＴ１及び第三閾値ＶＴ３は、一日程度の短い期間においては一定の値である。消灯閾値ＥＴ１は、第一閾値ＶＴ１よりも大きい値である。第三閾値ＶＴ３は、第一閾値ＶＴ１よりも大きい値である。
【００２１】
第三閾値ＶＴ３は、消灯閾値ＥＴ１の初期値である。第三閾値ＶＴ３は、消灯閾値ＥＴ１として予め決められている。つまり、第三閾値ＶＴ３は、好ましくは、光源２からの光が光電変換部１２のフォトダイオード１２１に入射しないことを前提に、光源２を消灯させるときの電圧Ｖｘ１として適当な値に決められている。すなわち、第三閾値ＶＴ３は、光源２が点灯しても、光源２からの光量に基づく電圧（差引電圧ΔＶ１）が光電変換部１２において生じず、光源２が点灯する前後において電圧Ｖｘ１が変動しないことを前提に決められている。
【００２２】
差分値Ｄ１は、第三閾値ＶＴ３から第一閾値ＶＴ１を引いた値である。規定の時間Δｔ１及び所定時間Δｔ２は、適宜設定されている。
【００２３】
制御部１１は、記憶部１１５に記憶されたプログラムをマイコンのＣＰＵ（中央処理装置）が実行することにより、電源部１０を制御して、光源２を点灯及び消灯させる。より詳細には、制御部１１から出力されるハイレベル信号が電源部１０に入力されることにより、電源部１０の電源制御回路が力率改善回路及び降圧チョッパ回路を動作させて、光源２を点灯させる。すなわち、制御部１１は、光源２を点灯状態にさせるように電源部１０を制御する点灯制御を行う。また、制御部１１から出力されるローレベル信号が電源部１０に入力されることにより、電源部１０の電源制御回路が力率改善回路及び降圧チョッパ回路を停止させて、光源２を消灯させる。すなわち、制御部１１は、光源２を消灯状態にさせるように電源部１０を制御する消灯制御を行う。制御部１１は、電源部１０に対する制御を、点灯制御から消灯制御へ、また、消灯制御から点灯制御へ切り替える。
【００２４】
検出信号は、光電変換部１２から出力されて入力端子１１１に入力される。制御部１１は、検出信号が有する電気量としての電圧Ｖｘ１に対応して、電源部１０を制御する。制御部１１が電源部１０を制御することによる光源２の点灯及び消灯の制御方法を、図２のフローチャートと、図３Ａ及び図３Ｂのタイムチャートとを参照して説明する。図３Ａ及び図３Ｂの横軸は時刻を表し、図３Ａ及び図３Ｂの縦軸は電圧を表す。時刻ｔ１は日が沈み点灯装置１の周囲が暗くなる時刻を、時刻ｔ３は日が昇り点灯装置１の周囲が明るくなる時刻を表す。また、図３Ａ及び図３Ｂにおける実線は、それぞれ、光電変換部１２において入射光量に応じて取得され制御部１１に入力される電圧Ｖｘ１を示す。図３Ａ及び図３Ｂにおける一点鎖線は、それぞれ、消灯閾値ＥＴ１を示す。
【００２５】
制御部１１は、動作モードとして通常モードと強制点灯モードとを有し、これら２つのモード間で動作モードが切り替わる。電源をＯＮすると（ステップＳ１）、制御部１１は動作モードを通常モードに設定する（ステップＳ２）。通常モードにおいて制御部１１は、光電変換部１２から制御部１１に出力される電圧Ｖｘ１に応じて、電源部１０に対する制御を切り替えて行う。
【００２６】
通常モードにおいて、制御部１１は、まず、ステップＳ３で、電源部１０に対する制御を消灯制御に切り替える。続いて、制御部１１は、ステップＳ４で、差引電圧ΔＶ１をリセットする。差引電圧ΔＶ１とは、電圧Ｖｘ１から第一閾値ＶＴ１を引いた値である。
【００２７】
ステップＳ５において、制御部１１は、光電変換部１２から入力された電圧Ｖｘ１と第一閾値ＶＴ１とを比較する。電圧Ｖｘ１が第一閾値ＶＴ１を下回るときは、ステップＳ６において、制御部１１は、電源部１０に対する制御を点灯制御に切り替える。一方、ステップＳ５において、電圧Ｖｘ１が第一閾値ＶＴ１以上であるときは、制御部１１は、ステップＳ５を繰り返し、消灯制御を継続し光源２を消灯させ続ける。
【００２８】
電圧Ｖｘ１は、日が沈み、光電変換部１２のフォトダイオード１２１への入射光量が低下するにつれて徐々に低下する（時刻ｔ０〜ｔ１）。そして、ステップＳ５において電圧Ｖｘ１が第一閾値ＶＴ１を下回ると（時刻ｔ１）、ステップＳ６において、制御部１１は電源部１０に対する制御を点灯制御に切り替え、光源２を点灯させる。
【００２９】
光源２が点灯すると、光源２から放射された光が光電変換部１２のフォトダイオード１２１に入射するので、フォトダイオード１２１に入射する光量が増加し、電圧Ｖｘ１が増加する（時刻ｔ２）。制御部１１は、ステップＳ６で電源部１０に対する制御を点灯制御に切り替えてから、ステップＳ７で差引電圧ΔＶ１を取得する。すなわち、光電変換部１２は、光源２が消灯状態から点灯状態となったときにおける入射光量を検出して、入射光量に対応した電圧Ｖｘ１を取得し、当該電圧Ｖｘ１を有する検出信号を制御部１１に出力する。制御部１１は、光源２が消灯状態から点灯状態となったときに光電変換部１２で取得された電圧Ｖｘ１に基づいて、差引電圧ΔＶ１を取得する。つまり、制御部１１は、光源２が消灯状態から点灯状態となったときにおける電圧Ｖｘ１から第一閾値ＶＴ１を引いた値として、差引電圧ΔＶ１を取得する。
【００３０】
その後、ステップＳ８において制御部１１は、差引電圧ΔＶ１と差分値Ｄ１とを比較する。差引電圧ΔＶ１が差分値Ｄ１よりも小さい場合は、制御部１１はステップＳ９の処理を行う。一方、差引電圧ΔＶ１が差分値Ｄ１よりも大きい場合及び差引電圧ΔＶ１が差分値Ｄ１と等しい場合は、制御部１１は、ステップＳ１２において、動作モードを通常モードから強制点灯モードに切り替える。以下では、まず、差引電圧ΔＶ１が差分値Ｄ１よりも小さく、制御部１１がステップＳ９の処理を行う場合について、図２及び図３Ａを参照して説明する。
【００３１】
ステップＳ９では、制御部１１は、消灯閾値ＥＴ１を設定する。具体的には、制御部１１は、消灯閾値ＥＴ１を第二閾値ＶＴ２に設定する。第二閾値ＶＴ２は、第三閾値ＶＴ３と差引電圧ΔＶ１との和である。上述の通り、第三閾値ＶＴ３は、第一閾値ＶＴ１よりも大きい値であり、差引電圧ΔＶ１は、光源２が消灯状態から点灯状態となったときにおける電圧Ｖｘ１から第一閾値ＶＴ１を引いた値である。したがって、第二閾値ＶＴ２は、光源２が消灯状態から点灯状態となったときにおける電圧Ｖｘ１よりも大きい値である。
【００３２】
ステップＳ１０において、制御部１１は、電圧Ｖｘ１と消灯閾値ＥＴ１とを比較する。電圧Ｖｘ１が消灯閾値ＥＴ１以下であるときは、制御部１１は、ステップＳ１０を繰り返し、点灯制御を継続して光源２を点灯させ続ける（時刻ｔ２〜ｔ３）。一方、電圧Ｖｘ１が消灯閾値ＥＴ１を上回るとき（時刻ｔ３）は、制御部１１はステップＳ１１の処理を行う。
【００３３】
ステップＳ１１において、電圧Ｖｘ１が消灯閾値ＥＴ１を上回る状態が規定の時間Δｔ１（時刻ｔ３〜ｔ４）続くと、制御部１１は、ステップＳ３において、電源部１０に対する制御を消灯制御に切り替え、光源２を消灯させる（時刻ｔ４）。規定の時間Δｔ１は、例えば１５秒間である。一方、ステップＳ１１において、規定の時間Δｔ１の間に電圧Ｖｘ１が第一閾値ＶＴ１以下になると、制御部１１の処理はステップＳ１０に戻る。つまり、制御部１１は、電圧Ｖｘ１が消灯閾値ＥＴ１を上回ったとき（時刻ｔ３）でも、電圧Ｖｘ１が消灯閾値ＥＴ１を上回る状態が規定の時間Δｔ１続くまで（時刻ｔ３〜ｔ４）、点灯制御を続ける。
【００３４】
ところで、光源２を構成するＬＥＤ素子２０の光量には、個々のＬＥＤ２０素子の個体差や温度特性などに起因したばらつきがある。したがって、光源２から放射されて光電変換部１２のフォトダイオード１２１に入射する光量にも、ばらつきが生じるので、光電変換部１２において入射光量に応じて生じる電圧Ｖｘ１にも、ばらつきが生じる。また、点灯装置１及び光源２の周囲の状況によっても、光電変換部１２のフォトダイオード１２１に入射する光量にばらつきが生じる。例えば、点灯装置１及び光源２の周囲に白壁のように光反射率が大きい物がある場合は、光源２から放射された光が点灯装置１及び光源２の周囲で反射して、光電変換部１２のフォトダイオード１２１に入射する光量が標準的な値の範囲よりも大きくなることがある。また、点灯装置１及び光源２に雪が付着している場合には、光源２から放射された光が雪により反射して、光電変換部１２のフォトダイオード１２１に入射する光量が一時的に増加することがある。以上の通り、光源２が点灯したとき（時刻ｔ２）、電圧Ｖｘ１は、光源２の性能及び点灯装置１と光源２との周囲環境等によってばらつきが生じる。
【００３５】
上記の通り、点灯装置１において制御部１１は、電圧Ｖｘ１が消灯閾値ＥＴ１を上回る状態が規定の時間Δｔ１続いたとき、光源２を消灯させ、電圧Ｖｘ１が第一閾値ＶＴ１を下回ったとき、光源２を点灯させる。ここで、消灯閾値が一定である場合を想定する。また、光電変換部から制御部に出力される電圧は、光源２が点灯したときに点灯前よりも増加するので、消灯閾値は、光源２が点灯したときに光電変換部から制御部に出力される電圧として想定される標準的な値の範囲を考慮して、一定の値に設定されているとする。光源２が点灯したときに、光源２の性能及び点灯装置と光源２との周囲環境等によっては、光電変換部から制御部に出力される電圧が標準的な値の範囲よりも大きくなり、当該電圧が消灯閾値を上回ることがある。当該電圧が消灯閾値を上回ると、制御部は光源２を消灯させるので、光源２から放射される光が光電変換部のフォトダイオードに入射されなくなり、光電変換部から制御部に出力される電圧は低下する。これにより、当該電圧が第一閾値を下回るので、制御部は光源２を再び点灯させる。このように、光源２が点灯したときに光電変換部から制御部に出力される電圧が標準的な値の範囲よりも大きい場合、光源２が点滅を繰り返してしまう可能性がある。
【００３６】
そこで、本実施形態における制御部１１は、ステップＳ６で点灯制御を行って光源２を点灯させると（時刻ｔ２）、ステップＳ９において、消灯閾値ＥＴ１を、第三閾値ＶＴ３と差引電圧ΔＶ１との和である第二閾値ＶＴ２に設定する。制御部１１は、設定された消灯閾値ＥＴ１に基づいて、ステップＳ１０、Ｓ１１において電圧Ｖｘ１と消灯閾値ＥＴ１とを比較する（時刻ｔ２〜ｔ４）。電圧Ｖｘ１が消灯閾値ＥＴ１を上回る状態が規定の時間Δｔ１（時刻ｔ３〜ｔ４）の間続くと、ステップＳ３で、制御部１１は、電源部１０に対する制御を消灯制御に切り替える（時刻ｔ４）。
【００３７】
上記の通り、制御部１１は、電源部１０に対する制御を消灯制御から点灯制御に切り替えて光源２が消灯状態から点灯状態になったとき、電源部１０に対する制御を消灯制御に切り替える前に、差引電圧ΔＶ１に応じて消灯閾値ＥＴ１を設定する。光源２が点灯したとき（時刻ｔ２）の電圧Ｖｘ１が大きいと、差引電圧ΔＶ１も大きいので、消灯閾値ＥＴ１も大きく設定される。これにより、光源２が点灯したとき（時刻ｔ２）の電圧Ｖｘ１が標準的な値の範囲よりも大きい場合であっても、光源２が点滅を繰り返してしまうことを抑制することができる。
【００３８】
また、消灯閾値が一定である場合を再び想定する。光源２が点灯したときに光電変換部から制御部に出力される電圧が標準的な値の範囲よりも小さい場合は、光源２自身の光量に起因しない点灯装置の周りからの光量が十分であるにも関わらず、当該電圧が消灯閾値よりも小さい場合がある。その場合は、光源２自身の光量に起因しない点灯装置の周りからの光量が十分であるにも関わらず、制御部は光源２を消灯させない。
【００３９】
これに対して、本実施形態の点灯装置１では、光源２が点灯したとき（時刻ｔ２）の電圧Ｖｘ１が小さいと、差引電圧ΔＶ１も小さいので、消灯閾値ＥＴ１も小さく設定される。これにより、光源２が点灯したとき（時刻ｔ２）の電圧Ｖｘ１が標準的な値の範囲よりも小さい場合であっても、制御部１１は、光源２を消灯させる制御をより安定的に行うことができる。
【００４０】
次に、ステップＳ８において差引電圧ΔＶ１が差分値Ｄ１より大きく、又は、差引電圧ΔＶ１が差分値Ｄ１と等しく、制御部１１がステップＳ１２の処理を行い動作モードを強制点灯モードに切り替えた場合について、図２及び図３Ｂを参照して説明する。
【００４１】
強制点灯モードにおいて制御部１１は、電圧Ｖｘ１の大きさに関係なく、電源部１０に対する制御（点灯制御及び消灯制御）を行う。制御部１１は、動作モードを強制点灯モードに切り替えてから所定時間Δｔ２の間は、電圧Ｖｘ１と消灯閾値ＥＴ１とを比較する処理（ステップＳ１０、Ｓ１１）を行わない。したがって、制御部１１は、所定時間Δｔ２の間は、電圧Ｖｘ１の大きさに関係なく点灯制御を継続して、光源２を点灯させ続ける（ステップＳ１３）。所定時間Δｔ２は、例えば１時間である。ステップＳ１３において、制御部１１は、マイコンが有するタイマ機能により所定時間Δｔ２が経過したことを検出すると（時刻ｔ５）、ステップＳ２において、動作モードを通常モードに切り替える。ステップＳ３において、制御部１１は、電圧Ｖｘ１と消灯閾値ＥＴ１とを比較する処理（ステップＳ１０、Ｓ１１）を行ったか否かにも、電圧Ｖｘ１の大きさにも関係なく、電源部１０に対する制御を消灯制御に切り替え、光源２を消灯させる。
【００４２】
次に、本実施形態に係る照明器具８について、図４を参照して説明する。照明器具８は、いわゆる防犯灯であり、地面に立てられる支柱５０（電力柱又は鋼管ポール）又は建物の外壁などに取り付けられる。ただし、照明器具８は防犯灯に限定されず、防犯灯以外の照明器具、例えば、道路灯又は街路灯などであってもよい。
【００４３】
照明器具８は、器具本体８０と、グローブ８１と、アーム８２と、点灯装置１（図１参照）と、光源２（図１参照）とを備えている。器具本体８０は、合成樹脂により、前面が開口した長尺の矩形箱状に形成されている。グローブ８１は、透光性を有する合成樹脂（例えば、アクリル樹脂）により、半円筒状に形成されている。グローブ８１は、長手方向の一端部（図４における上端部）に一対のヒンジ部８１０を有している。一対のヒンジ部８１０は、半円筒状に形成されており、器具本体８０の長手方向の一端部（図４における上端部）に設けられている一対の軸に引っ掛けられている。つまり、グローブ８１は、器具本体８０の前面開口を塞ぐ閉位置（図４に示す位置）と、器具本体８０の前面開口を開放する開位置との間で回転可能に、器具本体８０に取り付けられている。グローブ８１は、グローブ８１の長手方向におけるヒンジ部８１０側とは反対側の端部（図４における下端部）において、器具本体８０にねじ止めされることにより、閉位置に固定されている。
【００４４】
点灯装置１（図１参照）及び光源２（図１参照）は、器具本体８０内に収容されている。点灯装置１は、器具本体８０内の長手方向の先端（上端）付近に配置されている。光源２は、器具本体８０内の下端付近に配置され、器具本体８０に支持されている。また、光電変換部１２（図１参照）のフォトダイオード１２１は、点灯装置１の上端付近に配置されている。すなわち、フォトダイオード１２１と光源２との間には、点灯装置１におけるフォトダイオード１２１とは異なる構成（例えば、電源部１０及び制御部１１）が配置されており、フォトダイオード１２１は、光源２から離れて設けられている。光源２から放射される光は、グローブ８１を透過して照明器具８の外部に取り出される。
【００４５】
アーム８２は、固定部８２１を有している。固定部８２１は、長尺の矩形平板状に形成されている固定板８２１０と、固定板８２１０の長手方向に沿った両端縁から固定板８２１０の厚み方向に立ち上がる一対（図４では１つのみを図示）の側壁８２１１とを有している。
【００４６】
固定部８２１の固定板８２１０は、だるま孔からなる第一ねじ挿通孔８２１２と、図示しない丸孔からなる第二ねじ挿通孔と、図示しない半円状のねじ挿通溝とを有している。また、固定部８２１の一対の側壁８２１１には、矩形の挿通孔８２１５がそれぞれ設けられている。
【００４７】
アーム８２の固定部８２１は、取付金具９を介して支柱５０に固定される。取付金具９は、鋼板などの板材により形成されている。取付金具９は、矩形平板状の取付板９０と、取付板９０の長手方向に沿った両端縁から取付板９０の厚み方向に立ち上がる一対の側板９１とを有する角樋状に形成されている。取付板９０には、図示しない３つのねじ孔が設けられている。また、一対の側板９１には、矩形の取付孔９１０がそれぞれ設けられている。
【００４８】
続いて、照明器具８の施工手順を説明する。まず、施工作業を行う作業者は、取付金具９の各側板９１の取付孔９１０に通した取付バンド９２を支柱５０に巻くことで、取付金具９を支柱５０に固定する。続いて、作業者は、取付金具９に、支柱５０側とは反対側からアーム８２の固定部８２１を被せる。それから、作業者は、３本のねじ９３、９４、９５を、固定部８２１の第一ねじ挿通孔８２１２、第二ねじ挿通孔、ねじ挿通溝に通し、さらに、取付金具９の取付板９０の３つのねじ孔にねじ込む。このように、照明器具８は、取付金具９を介して支柱５０に取り付けられる。ただし、作業者は、取付金具９を用いずに、アーム８２の固定部８２１に設けられている挿通孔８２１５に取付バンド９２を通し、固定部８２１を直接、支柱５０に固定することにより、照明器具８を支柱５０に取り付けることもできる。
【００４９】
上記の通り、本実施形態に係る点灯装置１は、電源部１０と、制御部１１と、光電変換部１２と、を備える。電源部１０は、光源２に電力を供給する。制御部１１は、電源部１０に対する制御を、点灯制御及び消灯制御に切り替えて行う。制御部１１は、点灯制御において、光源２を点灯状態にさせるように電源部１０を制御する。制御部１１は、消灯制御において、光源２を消灯状態にさせるように電源部１０を制御する。光電変換部１２は、入射光量が大きいほど大きい電気量（電圧Ｖｘ１）を有する検出信号を制御部１１に出力する。制御部１１は、動作モードとして、通常モードと、強制点灯モードとを有する。制御部１１は、通常モードにおいて、電圧Ｖｘ１に応じて制御を切り替えて行う。制御部１１は、強制点灯モードにおいて、電圧Ｖｘ１の大きさに関係なく点灯制御を行う。制御部１１は、動作モードが通常モードであって、電圧Ｖｘ１が消灯閾値ＥＴ１を上回ったとき、制御を消灯制御に切り替える。制御部１１は、さらに、動作モードが通常モードであって、電圧Ｖｘ１が第一閾値ＶＴ１を下回ったとき、制御を点灯制御に切り替え、差引電気量（差引電圧ΔＶ１）が所定値（差分値Ｄ１）よりも小さい場合、消灯閾値ＥＴ１を第二閾値ＶＴ２に設定し、差引電圧ΔＶ１が差分値Ｄ１よりも大きい場合、動作モードを通常モードから強制点灯モードに切り替える。第一閾値ＶＴ１は、消灯閾値ＥＴ１よりも小さい値である。差引電圧ΔＶ１は、光源２が消灯状態から点灯状態となったときにおける電圧Ｖｘ１から第一閾値ＶＴ１を引いた値である。第二閾値ＶＴ２は、光源２が消灯状態から点灯状態となったときにおける電圧Ｖｘ１よりも大きい値である。
【００５０】
点灯装置１において、光源２から放射されて光電変換部１２へ入射する光量は、光源２からの光量の増減、又は、点灯装置１及び光源２の周囲に光反射率が高い物があること等の周囲環境等により増減する。点灯装置１において電気量（電圧Ｖｘ１）は、光源２から放射されて光電変換部１２へ入射する光量と、光源２自身の光量に起因しない点灯装置１の周りから光電変換部１２へ入射する光量との両方に対応する。上記の点灯装置１では、制御部１１は、電圧Ｖｘ１が消灯閾値ＥＴ１を上回ったとき、光源２を消灯させる。
【００５１】
もし、消灯閾値が一定値であると、制御部は、光電変換部への入射光量に応じて光源２を消灯させる制御を、安定して行うことができない場合がある。つまり、光源２から光電変換部へ入射する光量が、標準的な値に基づく設計値よりも大きいときは、光源２自身の光量に起因しない点灯装置の周りからの光量が十分でないにも関わらず、光電変換部から制御部へ出力される電気量が消灯閾値を上回る場合がある。その場合、制御部は光源２を消灯させるという誤動作をする。あるいは、光源２から光電変換部へ入射する光量が設計値よりも小さいときは、光源２自身の光量に起因しない点灯装置の周りからの光量が十分であるにも関わらず、光電変換部から制御部へ出力される電気量が消灯閾値よりも小さい場合がある。その場合、光源２自身の光量に起因しない点灯装置の周りからの光量が十分であるにも関わらず、制御部は光源２を消灯させない。
【００５２】
それに対して、本実施形態の点灯装置１では、制御部１１は、光源２が点灯したときにおける差引電気量（差引電圧ΔＶ１）が所定値（差分値Ｄ１）よりも小さい場合、消灯閾値ＥＴ１を第二閾値ＶＴ２に設定する。第二閾値ＶＴ２は、光源２が点灯したときにおける電気量（電圧Ｖｘ１）よりも大きい値である。すなわち、制御部１１は、電圧Ｖｘ１の大小に応じて消灯閾値ＥＴ１を設定する。したがって、消灯閾値ＥＴ１が一定である場合に比べて、制御部１１は、光電変換部１２への入射光量に応じて光源２を消灯させる制御を、より安定して行うことができる。
【００５３】
さらに、点灯装置１において制御部１１は、光源２が点灯したときにおける差引電圧ΔＶ１が差分値Ｄ１よりも大きい場合、電圧Ｖｘ１の大きさに関係なく点灯制御を継続し、光源２を点灯させ続ける。したがって、点灯装置１に雪が付着するなど、点灯装置１が異常な状況にあることによって、差引電圧ΔＶ１が差分値Ｄ１より大きい場合に、電圧Ｖｘ１が変動しても、光源２を点滅させることなく、より安定して点灯させ続けることができる。
【００５４】
また、本実施形態に係る点灯装置１において、制御部１１は、動作モードを通常モードから強制点灯モードに切り替えてから所定時間Δｔ２が経過すると、動作モードを通常モードに切り替える。
【００５５】
すなわち、点灯装置１において制御部１１は、点灯装置１が異常な状況にあること等によって、動作モードを強制点灯モードに切り替えてから所定時間Δｔ２が経過すると、動作モードを通常モードに戻す。したがって、通常モードに戻ったときに点灯装置１の異常な状況等が解消されていた場合には、制御部１１は、通常モードで、光電変換部１２への入射光量に応じて光源２を消灯させることができるので、より安定した制御を行うことができる。また、通常モードに戻ったときに依然として点灯装置１が異常な状況にあって差引電気量（差引電圧ΔＶ１）が所定値（差分値Ｄ１）より大きい場合は、再び強制点灯モードに切り替わり、光源２を点滅させることなく、より安定して点灯させ続けることができる。
【００５６】
また、本実施形態に係る点灯装置１において、制御部１１は、動作モードを通常モードから強制点灯モードに切り替えてから所定時間Δｔ２が経過すると、電気量（電圧Ｖｘ１）の大きさに関係なく制御を消灯制御に切り替え、動作モードを通常モードに切り替える。
【００５７】
上記の通り、点灯装置１において制御部１１は、強制点灯モードに切り替えてから所定時間Δｔ２が経過すると、電源部１０に対する制御を消灯制御に切り替えて、光源２を消灯させる。つまり、制御部１１は、消灯閾値ＥＴ１が大きく設定されていたとしても、確実に光源２を消灯させる。制御部１１が光源２を消灯させた時又はその後、電気量（電圧Ｖｘ１）が第一閾値ＶＴ１を下回ると、制御部１１は点灯制御により光源２を点灯させ、そのときの電圧Ｖｘ１に応じて消灯閾値ＥＴ１を設定する。これにより、制御部１１は、強制点灯モードから通常モードに切り替えたときに点灯制御を継続して消灯閾値ＥＴ１をそのときの電圧Ｖｘ１に応じて設定しない場合よりも、点灯制御から消灯制御への切り替えをより精度よく行うことができる。
【００５８】
また、本実施形態に係る点灯装置１において、第二閾値ＶＴ２は、第三閾値ＶＴ３と、差引電気量（差引電圧ΔＶ１）との和である。第三閾値ＶＴ３は、第一閾値ＶＴ１よりも大きい値であって、消灯閾値ＥＴ１として予め決められている。
【００５９】
上記の通り、第二閾値ＶＴ２は、第三閾値ＶＴ３と、光源２が消灯状態から点灯状態になったときにおける電気量（電圧Ｖｘ１）から第一閾値ＶＴ１を引いた値（差引電圧ΔＶ１）との和である。第三閾値ＶＴ３は、第一閾値ＶＴ１よりも大きい値であって、消灯閾値ＥＴ１として予め決められている。このように決められた第二閾値ＶＴ２へと、消灯閾値ＥＴ１が設定される。つまり、消灯閾値ＥＴ１と、光源２が消灯状態から点灯状態になったときにおける電圧Ｖｘ１との差を、電圧Ｖｘ１の大きさに関わらず、第三閾値ＶＴ３から第一閾値ＶＴ１を引いた値として一定に保つことができる。したがって、消灯状態であった光源２が点灯状態になってから、電圧Ｖｘ１が、第三閾値ＶＴ３から第一閾値ＶＴ１を引いた値だけ増加するという、制御部１１により消灯制御が行われるための条件を、電圧Ｖｘ１の大きさに関わらず維持することができる。つまり、制御部１１は、更に安定的な消灯制御を行うことができる。
【００６０】
また、本実施形態に係る点灯装置１において、所定値（差分値Ｄ１）は、第三閾値ＶＴ３から第一閾値ＶＴ１を引いた値である。第三閾値ＶＴ３は、第一閾値ＶＴ１よりも大きい値であって消灯閾値ＥＴ１として予め決められている。
【００６１】
上記の通り、所定値（差分値Ｄ１）は第三閾値ＶＴ３から第一閾値ＶＴ１を引いた値として決められるので、第一閾値ＶＴ１及び第三閾値ＶＴ３を変更した場合であっても、それに対応して、所定値（差分値Ｄ１）を直ちに１つの値に決めることができる。
【００６２】
また、本実施形態に係る点灯装置１において、制御部１１は、動作モードが通常モードであって、電気量（電圧Ｖｘ１）が消灯閾値ＥＴ１を上回る状態が規定の時間Δｔ１続いたとき、制御を消灯制御に切り替える。
【００６３】
上記の通り、点灯装置１において制御部１１は、通常モードにおいて、電気量（電圧Ｖｘ１）が消灯閾値ＥＴ１を上回る状態が規定の時間Δｔ１続くまで、光源２を消灯させない。したがって、光電変換部１２への入射光量の増加の原因が、例えば、日が昇り点灯装置１の周りが明るくなるなど継続的な原因ではなく、一時的な原因である場合に、制御部１１が光源２を消灯させることを抑制することができる。
【００６４】
また、上記の通り、本実施形態に係る照明器具８は、点灯装置１と、光源２と、器具本体８０と、を備える。器具本体８０は、光源２を支持する。
【００６５】
上記の構成により、照明器具８の制御部１１は、電気量（電圧Ｖｘ１）の大小に応じて消灯閾値ＥＴ１を設定するので、消灯閾値ＥＴ１が一定である場合に比べて、光電変換部１２への入射光量に応じて光源２を消灯させる制御を、より安定して行うことができる。さらに、照明器具８において制御部１１は、光源２が点灯したときにおける差引電気量（差引電圧ΔＶ１）が所定値（差分値Ｄ１）よりも大きい場合、電圧Ｖｘ１の大きさに関係なく点灯制御を継続し、光源２を点灯させ続ける。したがって、差引電圧ΔＶ１が差分値Ｄ１より大きい場合に、電圧Ｖｘ１が変動しても、制御部１１は、光源２を点滅させることなく、より安定して点灯させ続けることができる。
【００６６】
なお、上記の通り、制御部１１は、動作モードを強制点灯モードに切り替えると、電圧Ｖｘ１の大きさに関係なく点灯制御を継続して光源２を点灯させ続ける（ステップＳ１３）。そして、規定の時間Δｔ１が経過すると、動作モードを通常モードに切り替え（ステップＳ２）、電源部１０に対する制御を消灯制御に切り替えて、光源２を消灯させる（ステップＳ３）。強制点灯モードにおいて、制御部１１は、規定の時間Δｔ１が経過してからではなく、所定の条件が満たされたときに、電源部１０に対する制御を消灯制御に切り替えて光源２を消灯させるように構成されていてもよい。所定の条件とは、例えば、電圧Ｖｘ１が消灯閾値ＥＴ１を上回ることである。あるいは、所定の条件とは、電圧Ｖｘ１が消灯閾値ＥＴ１を上回る状態が規定の時間Δｔ１続くことである。あるいは、所定の条件とは、所定の時刻になること、又は、制御部１１に特定の信号が入力されること等である。つまり、制御部１１は、動作モードを強制点灯モードに切り替えてから、規定の時間Δｔ１が経過しても、電源部１０に対する制御を消灯制御に必ずしも切り替えなくてもよい。また、制御部１１は、動作モードを強制点灯モードに切り替えてから、規定の時間Δｔ１が経過したとき、動作モードを通常モードに切り替えなくてもよい。
【００６７】
また、第二閾値ＶＴ２は、第三閾値ＶＴ３と、光源２が消灯状態から点灯状態になったときにおける差引電圧ΔＶ１との和でなくてもよい。つまり、光源２が消灯状態から点灯状態になったときにおける差引電圧ΔＶ１が差分値Ｄ１よりも小さい場合、第二閾値ＶＴ２は、光源２が消灯状態から点灯状態になったときにおける電圧Ｖｘ１よりも大きい値に設定されればよい。また、消灯閾値ＥＴ１は、そのような第二閾値ＶＴ２に設定されればよい。
【００６８】
また、本実施形態では、所定値（差分値Ｄ１）は、第三閾値ＶＴ３から第一閾値ＶＴ１を引いた値であるが、所定値は異なる方法によって求められる値であってもよいし、一定の値であってもよい。
【００６９】
また、制御部１１は、通常モードにおいて、電圧Ｖｘ１が消灯閾値ＥＴ１を上回る状態が規定の時間Δｔ１の間続いているか否かを判定するステップＳ１１を省略してもよい。すなわち、ステップＳ１０において、電圧Ｖｘ１が消灯閾値ＥＴ１を上回ったとき、制御部１１は直ちに電源部１０に対する制御を消灯制御に切り替え、光源２を消灯してもよい。
【００７０】
また、光電変換部１２から制御部１１へ出力される電気量は、電圧Ｖｘ１に限定されない。例えば、電気量は、光電変換部１２のフォトダイオード１２１に光が入射して生じる電流であってもよい。
【００７１】
また、規定の時間Δｔ１及び所定時間Δｔ２は、本実施形態とは異なる値であってもよい。
【００７２】
また、ステップＳ８において、差引電圧ΔＶ１が差分値Ｄ１と等しい場合は、制御部１１は、通常モードで電源部１０に対する制御を行ってもよいし、動作モードを強制点灯モードに切り替えてもよい。
【００７３】
上記の各変形例であっても、点灯装置１において制御部１１は、消灯閾値ＥＴ１が一定である場合に比べて、光電変換部１２への入射光量に応じて光源２を消灯させる制御を、より安定して行うことができる。さらに、差引電気量が所定値より大きい場合に、電気量が変動しても、制御部１１は、光源２を点滅させることなく、より安定して点灯させ続けることができる。
【００７４】
（実施形態２）
次に、実施形態２に係る点灯装置について、図１、５を参照して説明する。なお、実施形態１と同一の構成については、同一の符号を付して説明を省略する。
【００７５】
本実施形態の点灯装置１では、制御部１１の動作モードが通常モードのときのステップＳ１〜Ｓ１１における処理は、実施形態１の点灯装置１と同じである。
【００７６】
本実施形態の点灯装置１では、制御部１１は、動作モードを通常モードから強制点灯モードに切り替えるときに、光源２を点滅させる。これにより、制御部１１は、動作モードの通常モードから強制点灯モードへの切替えを光源２に報知させる。光源２は、報知部に相当する。以下、より詳細に説明する。
【００７７】
ステップＳ８において、制御部１１は、差引電圧ΔＶ１と差分値Ｄ１とを比較する。差引電圧ΔＶ１が差分値Ｄ１よりも大きい場合及び差引電圧ΔＶ１が差分値Ｄ１と等しい場合は、ステップＳ１４〜ステップＳ１７において、制御部１１は、電源部１０に対する制御を消灯制御と点灯制御とに交互に切り替えて、光源２を点滅させる。
【００７８】
ステップＳ１４において、制御部１１は、電源部１０に対する制御を消灯制御に切り替え、光源２を消灯させる。制御部１１は、電源部１０に対する制御を消灯制御に切り替えてから一定時間（５００ｍｓ）が経過すると、ステップＳ１５において、電源部１０に対する制御を点灯制御に切り替え、光源２を点灯させる。制御部１１は、電源部１０に対する制御を点灯制御に切り替えてから一定時間（５００ｍｓ）が経過すると、ステップＳ１６において、電源部１０に対する制御を消灯制御に切り替え、光源２を消灯させる。さらに、制御部１１は、電源部１０に対する制御を消灯制御に切り替えてから一定時間（５００ｍｓ）が経過すると、ステップＳ１７において、電源部１０に対する制御を点灯制御に切り替え、光源２を点灯させる。その後、ステップＳ１２において、制御部１１は、動作モードを通常モードから強制点灯モードに切り替える。制御部１１の動作モードが強制点灯モードのときの処理は、実施形態１の点灯装置１におけるステップＳ１２、Ｓ１３と同じである。
【００７９】
このように、制御部１１は、動作モードの通常モードから強制点灯モードへの切替えを光源２に報知させる。したがって、照明器具８の施工時などに、作業者は、動作モードの通常モードから強制点灯モードへの切替えの発生を容易に知ることができる。これにより、照明器具８の動作確認がより容易になる。
【００８０】
以上説明したように、本実施形態に係る点灯装置１において、制御部１１は、動作モードの通常モードから強制点灯モードへの切替えを報知部（光源２）に報知させる。
【００８１】
上記の構成によれば、使用者は、制御部１１の動作モードの通常モードから強制点灯モードへの切替えの発生を、より容易に知ることができる。
【００８２】
また、本実施形態に係る点灯装置１において、報知部は、光源２である。制御部１１は、動作モードを通常モードから強制点灯モードへ切り替えるときに、光源２を点滅させることにより、動作モードの通常モードから強制点灯モードへの切替えを光源２に報知させる。
【００８３】
上記の構成によれば、報知部は光源２なので、報知部として追加の部材の発生を抑えつつ、使用者は、制御部１１の動作モードの通常モードから強制点灯モードへの切替えの発生を容易に知ることができる。
【００８４】
なお、本実施形態の制御部１１は、動作モードを強制点灯モードに切り替える前に光源２に消灯と点灯とを２回繰り返させるが、消灯と点灯との繰り返し数は１回であってもよいし、３回以上であってもよい。また、この際に、本実施形態の制御部１１は、５００ｍｓ（一定時間）ごとに光源２に消灯と点灯とを繰り返させるが、５００ｍｓは一例であり、制御部１１が光源２を消灯又は点灯させる時間の長さは５００ｍｓに限定されない。また、この際に、制御部１１が光源２を点灯させる時間の長さと消灯させる時間の長さとが異なっていてもよい。また、この際に、制御部１１が１回目、２回目、３回目、…に光源２を点灯（又は消灯）させる時間の長さが互いに異なっていてもよい。
【００８５】
また、本実施形態の制御部１１は、動作モードを強制点灯モードに切り替える前に光源２（報知部）を点滅させるが、制御部１１が光源２を点滅させるタイミングはこれとは異なってもよい。制御部１１は、動作モードを強制点灯モードに切り替えるタイミングと同時に光源２を点滅させてもよいし、動作モードを強制点灯モードに切り替えた後に光源２を点滅させてもよい。制御部１１は、少なくとも差引電圧ΔＶ１と差分値Ｄ１とを比較した後（ステップＳ８より後）に、光源２を点滅させる。これらの場合であっても、制御部１１は、動作モードの通常モードから強制点灯モードへの切替えを光源２に報知させることができる。
【００８６】
（実施形態３）
次に、実施形態３に係る点灯装置について、図６、７を参照して説明する。なお、実施形態１と同一の構成については、同一の符号を付して説明を省略する。
【００８７】
光源２の複数（図６では３個）のＬＥＤ素子をそれぞれＬＥＤ素子２０ａ、２０ｂ、２０ｃとする。ＬＥＤ素子２０ａ、２０ｂ、２０ｃはそれぞれ、単位光源に相当する。ＬＥＤ素子２０ａ、２０ｂ、２０ｃは、実施形態１の３個のＬＥＤ素子２０（図１参照）と同一の構成である。
【００８８】
点灯装置１ａは、ＬＥＤ素子２０ｃに並列に設けられているスイッチ２１を更に備えている。制御部１１が点灯制御を行っているとき、スイッチ２１が閉じていると、ＬＥＤ素子２０ｃの両端が短絡し、ＬＥＤ素子２０ｃは消灯する。制御部１１が点灯制御を行っているとき、スイッチ２１が開いていると、ＬＥＤ素子２０ｃは点灯する。スイッチ２１は例えば、半導体素子を用いた無接点リレーである。制御部１１は、スイッチ制御端子１１４からスイッチ２１へ出力する制御信号をハイレベル信号とローレベル信号とに切り替えることにより、スイッチ２１を開閉する。なお、スイッチ２１は、電磁リレーなどの有接点リレーであってもよい。
【００８９】
図７に示すように、本実施形態の点灯装置１ａでは、制御部１１の動作モードが通常モードのときのステップＳ１〜Ｓ１１における処理は、実施形態２の点灯装置１の処理と同じである。
【００９０】
本実施形態の点灯装置１ａでは、制御部１１は、動作モードを通常モードから強制点灯モードに切り替えるときに、ＬＥＤ素子２０ｃを消灯させる。これにより、制御部１１は、動作モードの通常モードから強制点灯モードへの切替えをＬＥＤ素子２０ｃに報知させる。ＬＥＤ素子２０ｃは、報知部に相当する。以下、より詳細に説明する。
【００９１】
ステップＳ８において、制御部１１は、差引電圧ΔＶ１と差分値Ｄ１とを比較する。差引電圧ΔＶ１が差分値Ｄ１よりも大きい場合及び差引電圧ΔＶ１が差分値Ｄ１と等しい場合は、ステップＳ１８において、制御部１１は、スイッチ２１を閉じてＬＥＤ素子２０ｃを消灯させる。その後、ステップＳ１２において、制御部１１は、動作モードを通常モードから強制点灯モードに切り替える。強制点灯モードにおいて、制御部１１は、所定時間Δｔ２（１時間）の間は、電圧Ｖｘ１の大きさに関係なく点灯制御を継続して、ＬＥＤ素子２０ａ、２０ｂを点灯させ続ける（ステップＳ１３）。ステップＳ１２、Ｓ１３の間、スイッチ２１は閉じており、ＬＥＤ素子２０ｃは消灯したままである。
【００９２】
所定時間Δｔ２が経過すると、ステップＳ１９において、制御部１１は、スイッチ２１を開いてＬＥＤ素子２０ｃを点灯させる。その後、ステップＳ２において、制御部１１は、動作モードを通常モードに切り替える。
【００９３】
以上説明したように、本実施形態に係る点灯装置１ａにおいて、光源２は、複数の単位光源（ＬＥＤ素子２０ａ、２０ｂ、２０ｃ）を含む。報知部は、複数の単位光源のうちの一部である少なくとも１つの単位光源（ＬＥＤ素子２０ｃ）である。制御部１１は、動作モードを通常モードから強制点灯モードへ切り替えるときに、少なくとも１つの単位光源を消灯させることにより、動作モードの通常モードから強制点灯モードへの切替えを少なくとも１つの単位光源に報知させる。
【００９４】
上記の構成によれば、報知部は光源２に含まれる少なくとも１つの単位光源（ＬＥＤ素子２０ｃ）なので、報知部として追加の部材の発生を抑えつつ、使用者は、制御部１１の動作モードの通常モードから強制点灯モードへの切替えの発生を容易に知ることができる。
【００９５】
なお、本実施形態の制御部１１は、動作モードを強制点灯モードに切り替える前にＬＥＤ素子２０ｃ（報知部）を消灯させるが、制御部１１がＬＥＤ素子２０ｃを消灯させるタイミングはこれとは異なっていてもよい。制御部１１は、動作モードを強制点灯モードに切り替えるタイミングと同時にＬＥＤ素子２０ｃを消灯させてもよいし、動作モードを強制点灯モードに切り替えた後にＬＥＤ素子２０ｃを消灯させてもよい。制御部１１は、少なくとも差引電圧ΔＶ１と差分値Ｄ１とを比較した後（ステップＳ８より後）に、ＬＥＤ素子２０ｃを消灯させる。これらの場合であっても、制御部１１は、動作モードの通常モードから強制点灯モードへの切替えをＬＥＤ素子２０ｃに報知させることができる。
【００９６】
また、制御部１１は、動作モードが強制点灯モードである間を通してＬＥＤ素子２０ｃを消灯させ続けてもよい。あるいは、制御部１１は、動作モードが強制点灯モードになってから、所定時間Δｔ２より短いあらかじめ決められた時間が経過すると、ＬＥＤ素子２０ｃを点灯させてもよい。
【００９７】
また、ＬＥＤ素子２０ａ、２０ｂを点灯させたままＬＥＤ素子２０ｃだけを消灯させる方法は、スイッチ２１を開閉することによる方法に限定されない。例えば、電源部１０において、ＬＥＤ素子２０ｃに電力を供給する端子が、ＬＥＤ素子２０ａ、２０ｂに電力を供給する端子とは別に設けられてもよい。このとき、制御部１１は、電源部１０の出力を制御して、ＬＥＤ素子２０ｃだけを消灯させることができる。
【００９８】
また、本実施形態では光源２がＬＥＤ素子２０ａ、２０ｂ、２０ｃの３つを含む場合について説明したが、ＬＥＤ素子の数は３つに限定されず、２つであってもよいし、４つ以上であってもよい。さらに、複数のＬＥＤ素子のうち、制御部１１が動作モードを強制点灯モードに切り替えるときに制御部１１により消灯させられるＬＥＤ素子の数は、１つであってもよいし、複数のＬＥＤ素子の数より少なければ、２つ以上であってもよい。
【００９９】
また、ＬＥＤ素子２０ａ、２０ｂ、２０ｃの各々に代えて、有機エレクトロルミネッセンス素子、レーザーダイオード、又は蛍光ランプなどの放電ランプを用いてもよい。
【０１００】
（実施形態４）
次に、実施形態４に係る点灯装置及び照明器具について、図８〜１０を参照して説明する。なお、実施形態１と同一の構成については、同一の符号を付して説明を省略する。
【０１０１】
図８に示すように、本実施形態の点灯装置１ｂは、パイロットランプ１６を更に備えている。パイロットランプ１６は、例えばＬＥＤ素子により構成されている。パイロットランプ１６は、光源２とは別個の構成である。パイロットランプ１６は、制御部１１の一対の出力端子１１６、１１７から直流電力の供給を受けて点灯する。制御部１１は、パイロットランプ１６が点灯した状態とパイロットランプ１６が消灯した状態とを切り替える。つまり、制御部１１は、パイロットランプ１６の発光状態を切り替える。パイロットランプ１６は、例えば、複数のＬＥＤ素子２０と共に基板に実装されている。図９に示すように、パイロットランプ１６は、グローブ８１ｂに形成された開口部に嵌め込まれており、パイロットランプ１６の発光面が照明器具８ｂの外部に露出している。
【０１０２】
図１０に示すように、本実施形態の点灯装置１ｂでは、制御部１１の動作モードが通常モードのときのステップＳ１〜Ｓ１１における処理は、実施形態２の点灯装置１の処理と同じである。
【０１０３】
本実施形態の点灯装置１ｂでは、制御部１１は、動作モードを通常モードから強制点灯モードに切り替えるときに、パイロットランプ１６の発光状態を消灯状態から点灯状態へ切り替える。これにより、制御部１１は、動作モードの通常モードから強制点灯モードへの切替えをパイロットランプ１６に報知させる。パイロットランプ１６は、報知部に相当する。以下、より詳細に説明する。
【０１０４】
制御部１１は、動作モードが通常モードのとき、パイロットランプ１６を消灯させている。ステップＳ８において、制御部１１は、差引電圧ΔＶ１と差分値Ｄ１とを比較する。差引電圧ΔＶ１が差分値Ｄ１よりも大きい場合及び差引電圧ΔＶ１が差分値Ｄ１と等しい場合は、ステップＳ２０において、制御部１１は、パイロットランプ１６を点灯させる。その後、ステップＳ１２において、制御部１１は、動作モードを通常モードから強制点灯モードに切り替える。強制点灯モードにおいて、制御部１１は、所定時間Δｔ２（１時間）の間は、電圧Ｖｘ１の大きさに関係なく点灯制御を継続して、光源２を点灯させ続ける（ステップＳ１３）。
【０１０５】
所定時間Δｔ２が経過すると、ステップＳ２１において、制御部１１は、パイロットランプ１６を消灯させる。その後、ステップＳ２において、制御部１１は、動作モードを通常モードに切り替える。
【０１０６】
以上説明したように、本実施形態に係る点灯装置１ｂにおいて、報知部は、光源２とは別個のパイロットランプ１６である。制御部１１は、動作モードを通常モードから強制点灯モードへ切り替えるときに、パイロットランプ１６の発光状態を切り替えることにより、動作モードの通常モードから強制点灯モードへの切替えをパイロットランプ１６に報知させる。
【０１０７】
上記の構成によれば、報知部は光源２とは別個のパイロットランプ１６なので、光源２の光量を変化させることなく、使用者は、制御部１１の動作モードの通常モードから強制点灯モードへの切替えの発生を容易に知ることができる。
【０１０８】
なお、本実施形態の制御部１１は、動作モードを強制点灯モードに切り替える前にパイロットランプ１６（報知部）を点灯させるが、制御部１１がパイロットランプ１６を点灯させるタイミングはこれとは異なっていてもよい。制御部１１は、動作モードを強制点灯モードに切り替えるタイミングと同時にパイロットランプ１６を点灯させてもよいし、動作モードを強制点灯モードに切り替えた後にパイロットランプ１６を点灯させてもよい。制御部１１は、少なくとも差引電圧ΔＶ１と差分値Ｄ１とを比較した後（ステップＳ８より後）に、パイロットランプ１６を点灯させる。これらの場合であっても、制御部１１は、動作モードの通常モードから強制点灯モードへの切替えをパイロットランプ１６に報知させることができる。
【０１０９】
また、制御部１１は、動作モードが強制点灯モードである間を通してパイロットランプ１６を点灯させてもよい。あるいは、制御部１１は、動作モードが強制点灯モードになってから、所定時間Δｔ２より短いあらかじめ決められた時間が経過すると、パイロットランプ１６を消灯させてもよい。
【０１１０】
また、制御部１１は、動作モードが通常モードのときパイロットランプ１６を点灯させ、動作モードを通常モードから強制点灯モードに切り替えるときにパイロットランプ１６を消灯させてもよい。あるいは、点灯装置１ｂに互いに色の異なるパイロットランプ１６を複数設け、制御部１１は、動作モードを通常モードから強制点灯モードに切り替えるときに、これら複数のパイロットランプ１６の点灯状態と消灯状態とを切り替えてもよい。例えば、点灯装置１ｂは、緑色のパイロットランプ１６と赤色のパイロットランプ１６とを備えていてもよい。このとき、制御部１１は、動作モードが通常モードのときは緑色のパイロットランプ１６のみを点灯させ、動作モードを強制点灯モードに切り替えるときに赤色のパイロットランプ１６のみを点灯させてもよい。あるいは、制御部１１は、動作モードを通常モードから強制点灯モードに切り替えるときに、パイロットランプ１６を点滅させたり、パイロットランプ１６の明るさを変化させたりしてもよい。つまり、制御部１１は、パイロットランプ１６の発光状態を切り替えることにより、動作モードの通常モードから強制点灯モードへの切替えをパイロットランプ１６に報知させればよい。
【０１１１】
また、パイロットランプ１６は、照明器具８ｂの構成の一部としてではなく、照明器具８ｂとは別に設けられていてもよい。
【０１１２】
また、パイロットランプ１６は、制御部１１ではなく電源部１０から電力の供給を受けてもよい。すなわち、制御部１１は、電源部１０によるパイロットランプ１６への電力供給を制御して、電源部１０にパイロットランプ１６を点灯・消灯させてもよい。
【０１１３】
また、パイロットランプ１６は、ＬＥＤ素子により構成されていることに限定されない。例えば、パイロットランプ１６として、有機エレクトロルミネッセンス素子、レーザーダイオード、又は、ネオンランプ若しくは蛍光ランプなどの放電ランプを用いてもよい。
【０１１４】
なお、実施形態２〜４でも、実施形態１と同様の変形が可能である。
【０１１５】
また、報知部の構成は、実施形態２〜４で示した構成に限定されない。例えば報知部は、コントローラの液晶表示部などであって、制御部１１の指示により、制御部１１の動作モードの通常モードから強制点灯モードへの切替えを視覚的に報知してもよい。あるいは報知部は、スピーカであって、制御部１１の指示により、制御部１１の動作モードの通常モードから強制点灯モードへの切替えを音声により報知してもよい。これらの場合に、制御部１１が動作モードの通常モードから強制点灯モードへの切替えを報知部に報知させるタイミングは、動作モードを強制点灯モードに切り替える前後でもよいし、動作モードを強制点灯モードに切り替えるタイミングと同時でもよい。
【０１１６】
また、報知部は、点灯装置１（１ａ、１ｂ）の構成に含まれていてもよいし、含まれていなくてもよい。
【０１１７】
また、制御部１１は、少なくとも差引電圧ΔＶ１と差分値Ｄ１とを比較した後（ステップＳ８より後）であって、動作モードを強制点灯モードに切り替えるタイミング（ステップＳ１２）の数秒後までの間に、動作モードの通常モードから強制点灯モードへの切替えを報知部に報知させることが好ましい。
【０１１８】
なお、以上説明した実施形態は本発明の一例である。このため、本発明はこれらの実施形態に限定されず、本発明の趣旨を逸脱しない範囲において種々の変形が可能である。
【符号の説明】
【０１１９】
１、１ａ、１ｂ  点灯装置
２  光源（報知部）
２０ａ、２０ｂ  ＬＥＤ素子（単位光源）
２０ｃ  ＬＥＤ素子（単位光源、報知部）
１０  電源部
１１  制御部
１２  光電変換部
１６  パイロットランプ（報知部）
８、８ｂ  照明器具
８０  器具本体
ＥＴ１  消灯閾値
Ｄ１  差分値（所定値）
ＶＴ１  第一閾値
ＶＴ２  第二閾値
ＶＴ３  第三閾値
Ｖｘ１  電圧（電気量）
Δｔ１  規定の時間
Δｔ２  所定時間
ΔＶ１  差引電圧（差引電気量）
【図１】
2018098166.tif 000003
【図２】
2018098166.tif 000004
【図３】
2018098166.tif 000005
【図４】
2018098166.tif 000006
【図５】
2018098166.tif 000007
【図６】
2018098166.tif 000008
【図７】
2018098166.tif 000009
【図８】
2018098166.tif 000010
【図９】
2018098166.tif 000011
【図１０】
2018098166.tif 000012